(57)【要約】      （修正有）【課題】野鳥やねずみ等の侵入を防ぎ、保温効果に優れ、かつ、換気不良とならず、高病原性鳥インフルエンザ感染予防に効果的な鶏舎を提供する。【解決手段】網目２ｃｍの金網を鶏舎両側に設けた鶏舎に鶏舎側面の外側の位置に上方から各々巻上げ紐で吊り上げ、下端側は鶏舎側面に沿って横方向に軸受けし、回転するように設けた回転装置付きの巻取り機に各々巻掛けして巻取る第1のカーテンを設け、第１のカーテンの外側に第２のカーテンを設け、第１のカーテン及び第２のカーテンの中間位置に鶏舎側面に沿って横方向に設けた上側巻取機に巻掛けして巻取る垂下カーテンを上方より吊下げ進入させる。【選択図】図１
0003171714.tif 000002
【実用新案登録請求の範囲】
【請求項１】
鶏舎の土台にネダを取り付け、カーテンを巻き上げ、巻き上げ式により、鶏舎両側面にカーテンを３重に取り付け空気層を２重とする。カーテンとネダの間を密着させ、野鳥、留鳥の侵入を防ぐ構造。
【請求項２】
換気はトンネル換気とするために、鶏舎妻側に陰圧換気扇を設置する。
【請求項３】
完全に野鳥、留鳥、カラス等の鶏舎への防止するために、鶏舎内側に金網、網目２ｃｍを取り付ける。
【考案の詳細な説明】
【技術分野】
【０００１】鶏舎に高病原性鳥インフルエンザに感染した野鳥、留鳥、カラス等の侵入を防ぐ必要があり、鶏舎の土台にネダを取り付け、巻き上げ、巻き下げのクロスカーテンを３重に取り付け隙間のない構造とするも、カーテンとカーテンが密着しないようにネダに支柱を設置し、２重の空気層が出来る構造とする。このことにより、四季を通じてカーテンを上げ下げすれば、保温効果と換気不良を起こさない鶏舎となる。又、完全に野鳥、留鳥、カラス等の侵入防止のため、鶏舎内側に金網、網目２ｃｍを取り付けることにより、侵入を防ぐことが出来る構造の鶏舎。
【背景技術】
【０００２】  国内で高病原性鳥インフルエンザの発生が各地に発生し、感染経路について疫学的調査が実施されているが、まだ感染経路の特定が出来ていない現状である。国内感染経路として疑わしいとされていることは、ほぼ集約されてきている。ほぼ集約されていることは、高病原性鳥インフルエンザに感染した渡り鳥が、シベリヤ、カムチャッカ半島、あるいは中国東北部の北アジアから飛来する渡り鳥の多くは北海道を経由して、本州、九州で越冬する渡り鳥で、ため池、湖で越冬する。その時に糞をする。その糞を留鳥、漂鳥、カラス等が糞を摂取して感染し、鶏舎に侵入して広がるとのことで集約されてきている。又、ネズミもウィルスを伝播するとされているので、鶏舎への侵入を防ぐため、穴を防ぐことも必要であるとされている。これらの条件を検討したのが、小型の留鳥、漂鳥、カラス等の侵入防止のため、鶏舎の土台にネダを取り付け、カーテンを巻き上げ、巻き下げの３重カーテン構造とし、カーテンとネダの間を密着させ隙間が出来ないように設置した。次いで小型の留鳥、漂鳥、カラス等の侵入を完全に防止するために、鶏舎の内側に破損しない金網の取りつけで、金網の網目２ｃｍを使用し、サビ止めのため、ビニール被膜をした金網を使用する。ねずみの侵入防止のため、犬走りより３０ｃｍ巾にコンクリート及びコンクリートブロックによる補強を実施し、ねずみが穴を掘り鶏舎への侵入を防止することにした。鶏舎はカーテンの３重構造とし、密閉出来るように設置するも、鶏舎は密閉すると換気不良となり、鶏の呼吸器病等の疫病発生原因ともなるので、換気はトンネル換気とし、換気扇は鶏舎の大きさにより選定する。換気扇により鶏舎内の汚れた空気を排出する構造とした又鶏舎の出入り口には消毒槽を設置し、諸毒薬を投入し、靴底についたウィルスの侵入を防ぐ感染予防対策の一貫とした。
【考案が解決しようとする課題】
【０００３】現在家畜伝染病予防法  第９条により予防対策が指導されている。
【０００４】対策と実施されていることを要約すると、防鳥ネットに穴、隙間がないこと、野鳥やねずみ等の野生動物を鶏舎に侵入させないこと、農場内専用衣服、靴を用意し消毒を行う。鶏への給与する水は消毒すること、部外者の立入制限、車輛の消毒の徹底が指導されている。
【０００５】高病原性鳥インフルエンザが発生した農場の疫学的調査では、防鳥ネットの一部が破損、網目サイズが比較的大きかった。鶏舎内に小型の野鳥が侵入していた。飲料水は井戸水を利用して消毒していなかった。敷地内にねずみがいたことが判明しているとの報告もある。又、鶏舎の壁に穴が開いていたり、破損している箇所があり、ねずみが自由に入ることが出来る場所があったとの報告もある。
【０００６】高病原性鳥インフルエンザ発生農場の報告を検討すると、その対策の必要な箇所として
【０００７】カーテンの取り付け方法として、鶏舎の土台の上にネダを取り付けるが、ハゴイタで取り付ければ強固なものとなる。ネダを取り付けた鶏舎にクロスシートを巻き上げ、巻き下げの３重カーテンを設置構造とする。クロスシートとネダの間に隙間がないように密着する施工をし、鶏舎内に小型の野鳥、留鳥が侵入しないようにする。
【０００８】破損のおそれがある防鳥ネットの代わりに、鶏舎内側に金網の網目２ｃｍを使用し、サビ止めのためビニールに被膜された金網を使用する。
【０００９】ねずみの侵入対策として犬走りより３０ｃｍコンクリート及びコンクリートブロックで補強する。
【００１０】クロスカーテンが３重構造であるため、昼間は鶏舎内がより暗くなり、野鳥が鶏舎内に入ることをためらう。野鳥による鳥インフルエンザウィルスの鶏舎内へ持ち込む機会が減少する。
【課題を解決するための手段】
【００１１】小型の野鳥、留鳥の侵入を防ぐため、鶏舎の土台にネダをハゴイタで固定し、クロスシートを巻き上げ、巻き下げで３重カーテン構造とし、クロスシートとネダの間を隙間がないように密着させる構造とする。
【００１２】鶏舎の内側に金網、網目２ｃｍを取り付けることにより、小型の野鳥、留鳥の侵入を防止出来る構造である。
【００１３】ねずみの侵入対策として犬走りより巾３０ｃｍにコンクリート、コンクリートブロックで補助する。
【００１４】鶏舎の出入り口に消毒槽を設置し、消毒薬を投入する。
【考案の効果】
【００１５】小型の野鳥の侵入防止として、鶏舎の土台にネダをハゴイタで固定し、クロスシートを巻き上げ、巻き下げ棒を取り付けることにより、クロスシートとネダの間に隙間がないよう密着した鶏舎は野鳥、留鳥の侵入がなかった。
【００１６】防鳥ネットの代わりに金網、網目２ｃｍを鶏舎内側に取り付けることにより、破損もなく、野鳥、留鳥の侵入がなかった。
【００１７】犬走りより３０ｃｍまでコンクリート、コンクリートブロックの補強により、ねずみの侵入防止となった。
【００１８】カーテンを３重にしたことにより、空気層が２重となり、空気の断熱効果により、保温効果に優れ、鶏の適温帯確保が出来た。
【００１９】換気はトンネル換気を採用したことと、カーテン開閉操作により、換気不良とならず、呼吸器病等の疾病の発症も認められなかった。
【産業上の利用可能性】
【００２０】高病原性鳥インフルエンザ発生予防として、高病原性鳥インフルエンザに感染した渡り鳥が溜め池、湖で越冬する時に糞をする、この糞を留鳥、野鳥等が摂取して感染し、鶏舎に侵入して広げることになるとの報告、又ねずみが鶏舎に侵入して広げる疑いがあるとの報告より、鶏舎の土台にネダをハゴイタで固定し、クロスシートを巻き上げ、巻き下げのカーテンを隙間がないように密着させた鶏舎、又金網を鶏舎の内側に取り付けることにより、野鳥、留鳥の侵入を防げたことにより、高病原性鳥インフルエンザの予防対策に効果的な鶏舎である。【００２１】犬走りより３０ｃｍ巾のコンクリート、コンクリートブロックによる補強はねずみの侵入を防ぐに効果的である。【００２２】カーテンを３重構造とすることにより、空気層は２重となり、保温効果が優れているため、鶏の適温帯の確保が出来て温度調整が出来やすくなる。鶏の適温帯確保のため、ガスブルーダ−を使用するが、鶏舎内は空気の断熱効果により、外気温の影響を受けることが少なく、ガスの消費量が削減されガス代の節約効果にもつながった。【００２３】上記の如く、高病原性鳥インフルエンザ発生予防対策となり、空気の断熱効果により、ガスの消費量の削減によるガス代の節約、トンネル換気により換気不良とならず呼吸器病等の疾病対策につながり、農場の成績向上にもつながったことは、養鶏産業での利用可能性は大なる鶏舎である。
【図面の簡単な説明】
【００２４】
【図１】は本考案の主要部を示す断面図である。
【図２】は三重に設けたカーテンの巻上げ、巻下げ機の位置の立面図である。
【図３】は畜舎に設けた三重カーテンの平面図である。
【符号の説明】
【００２５】（１）・・・金網（２）クロスシートカーテン巻上げ（３）クロスカーテン巻下げ（４）クロスシートカーテン巻上げ（５）ガルバニューム鋼材（６）巻上げ機（７）巻下げ機（８）巻上げ機（９）柱（１０）巻下げ機（１１）巻上げ機（１２）巻上げ機（１３）畜舎（１４）消毒槽（１５）陰圧換気扇（１６）断熱資材資料【表】
0003171714.tif 000003
【図１】
0003171714.tif 000004
【図２】
0003171714.tif 000005
【図３】
0003171714.tif 000006
【図４】
0003171714.tif 000007
【手続補正書】
【提出日】平成23年7月29日(2011.7.29)
【手続補正１】
【補正対象書類名】実用新案登録請求の範囲
【補正対象項目名】全文
【補正方法】変更
【補正の内容】
【実用新案登録請求の範囲】
【請求項１】
高病原性鳥インフルエンザに感染した野鳥、留鳥、カラス等の鶏舎への侵入防止のため、網目２ｃｍの金網を鶏舎両側に設けた鶏舎に鶏舎側面の外側の位置に上方から各々巻上げ紐で吊り上げ、下端側は鶏舎側面に沿って横方向に軸受けし、回転するように設けた回転装置付きの巻取り機に各々巻掛けして巻取るカーテン及び外側にカーテンを設け、内外に設けたカーテンと外側の２枚のカーテンの中間位置に鶏舎側面に沿って横方向に設けた上側巻取機に巻掛けして巻取る垂下カーテンを上方より吊下げ進入させることを特徴とする鶏舎。
【手続補正２】
【補正対象書類名】明細書
【補正対象項目名】００２４
【補正方法】変更
【補正の内容】
【００２４】
【図１】は本考案の主要部を示す断面図である。
【図２】は三重に設けたカーテンの巻上げ、巻下げ機の位置の立面図である。
【図３】は畜舎に設けた三重カーテンの平面図である。
【図４】は換気不良対策をかねた鶏舎の両方立体図である。
【手続補正書】
【提出日】平成23年9月8日(2011.9.8)
【手続補正１】
【補正対象書類名】実用新案登録請求の範囲
【補正対象項目名】全文
【補正方法】変更
【補正の内容】
【実用新案登録請求の範囲】
【請求項１】
高病原性鳥インフルエンザに感染した野鳥、留鳥、カラス等の鶏舎への侵入防止のため、網目２ｃｍの金網を鶏舎両側に設けた鶏舎に鶏舎側面の外側の位置に上方から各々巻上げ紐で吊り上げ、下端側は鶏舎側面に沿って横方向に軸受けし、回転するように設けた回転装置付きの巻取り機に各々巻掛けして巻取る第1のカーテンを設け、前記第1のカーテンの外側に第2のカーテンを設け、前記第1のカーテン及び前記第2のカーテンの中間位置に鶏舎側面に沿って横方向に設けた上側巻取機に巻掛けして巻取る垂下カーテンを上方より吊下げ進入させることを特徴とする鶏舎。